【手続補正書】
【提出日】平成18年2月6日(2006.2.6)
【手続補正１】
【補正対象書類名】明細書
【補正対象項目名】発明の名称
【補正方法】変更
【補正の内容】
【発明の名称】無雑音消音器アセンブリおよび静電写真複写機
【手続補正２】
【補正対象書類名】明細書
【補正対象項目名】特許請求の範囲
【補正方法】変更
【補正の内容】
【特許請求の範囲】
【請求項１】  静電写真複写機の自励振動音、およびクリーニングブレードと画像形成部材との摩擦音を低減する無雑音消音器アセンブリであって、
静電写真複写機の自励振動音、およびクリーニングブレードと画像形成部材との摩擦音を低減するための（ａ）縦軸と少なくとも部分的に圧縮された高密度のポリマーオープンセルフォームを容れる内部空洞を定める壁とを有するＣ字状断面部材と、（ｂ）概ね縦にかつＣ字状断面部材の前記縦軸と角度をなして伸びる前記壁に形成されたスロットと、（ｃ）概ね縦方向に伸びるやはり前記壁に形成されたヒンジ凹部と、を備えることを特徴とする無雑音消音器アセンブリ。
【請求項２】  静電写真複写機の自励振動音、およびクリーニングブレードと画像形成部材との摩擦音を低減する無雑音消音器アセンブリであって、
静電写真複写機の自励振動音、およびクリーニングブレードと画像形成部材との摩擦音を低減するための（ｉ）Ｃ字状断面部材の内部空洞の一部に挿入するための少なくとも部分的に圧縮された高密度ポリマーオープンセルフォームと、（ii）縦軸と、前記少なくとも部分的に圧縮された高密度のポリマーオープンセルフォームを容れる内部空洞を定める壁と、概ね縦にかつ前記Ｃ字状断面部材の前記縦軸と角度をなして伸びる前記壁に形成されたスロットとを有するＣ字状断面部材とを備えることを特徴とする無雑音消音器アセンブリ。
【請求項３】  無雑音消音器アセンブリであって、
（ａ）厚さと、外面と、所定の内径を有する内部空洞を定める内面とを有する壁を含む第１の中空チューブ部材であって、前記壁が概ね縦にかつ前記中空チューブ部材の縦軸と角度をなして伸びるヒンジ凹部を有するような中空チューブ部材と、（ｂ）概ね縦に伸びる、前記壁に形成されたスロットであって、前記凹みと前記スロットとのアライメントを防止するスロットとを備え、それにより前記消音器アセンブリにおける自励振動音を防止することを特徴とする無雑音消音器アセンブリ。
【請求項４】  静電写真複写機であって、静電写真複写機の自励振動音、およびクリーニングブレードと画像形成部材との摩擦音を低減するための、（ａ）外側の画像付着面を有する可動画像形成部材と、（ｂ）前記画像付着面にトナー画像を形成する画像形成装置と、（ｃ）コピーシートにトナー画像を転写する転写アセンブリと、（ｄ）別のトナー画像を形成する準備として前記画像付着面をクリーニングするクリーニングブレードアセンブリと、（ｅ）自励振動音、および前記クリーニングブレードアセンブリと前記画像形成部材の前記画像付着面との摩擦音を低減する無雑音消音器アセンブリであって、（ｉ）縦軸と、少なくとも部分的に圧縮された高密度ポリマーオープンセルフォームを容れる内部空洞を定める壁とを有するＣ字状断面部材と、（ii）概ね縦にかつ前記Ｃ字状断面部材の前記縦軸と角度をなして伸びる前記壁に形成されたスロットと、（iii）概ね縦に伸びるやはり前記壁に形成されたヒンジ凹部とを含む無雑音消音器アセンブリとを備えることを特徴とする静電写真複写機。
【手続補正３】
【補正対象書類名】明細書
【補正対象項目名】００１９
【補正方法】変更
【補正の内容】
【００１９】
先ず、ドラム１６の連続する部分が帯電ステーションＡを通過する。帯電ステーションＡにおいて、一般的に参照数字３０で示されるコロナ発生装置がドラム１６を選択的に高均質の電位に帯電させる。電位は通常はトナーの電荷と符号が反対である。トナーの化学成分により電位は正または負である。コロナ発生装置３０を制御するためには既知技術の適当な制御装置であれば何でも採用できる。
【手続補正４】
【補正対象書類名】明細書
【補正対象項目名】００２０
【補正方法】変更
【補正の内容】
【００２０】
次に、光導電面１２の帯電部が露光ステーションＢを通過する。露光ステーションＢにおいては、印刷されるべきページを示す情報が、一般的に参照数字３２で示される画像処理システム（ＩＰＳ）に送られる。ＩＰＳ３２は制御エレクトロニクスであり、一般的に参照数字３４で示されるラスタ出力スキャナ（ＲＯＳ）に対し画像データフローを作成し、管理する。一般的に参照数字３３で示されるユーザインタフェース（ＵＩ）がＩＰＳと通信する。ＵＩによりオペレータは種々のオペレータ調節機能を制御できる。ＵＩからの出力信号はＩＰＳ３２に送られる。所望の画像に対応する信号はＩＰＳ３２からＲＯＳ３４に送られ、これが出力コピー画像を作り出す。ＲＯＳ３４は各線が特定のインチあたりの画素数を有する一連の水平走査線の中に画像を割り付ける。ＲＯＳはそれに関連付けられた回転ポリゴンミラーブロックを有するレーザを含む。ＲＯＳはプリンタの帯電した光導電面を露光する。
【手続補正５】
【補正対象書類名】明細書
【補正対象項目名】００２１
【補正方法】変更
【補正の内容】
【００２１】
現像ステーションＣにおいて、一般的に参照数字３６で示される現像システムまたはユニットが現像材料を送って静電潜像に接触させる。現像ユニットは現像材料を送って潜像に接触させる装置を含む。現像ユニット３６は光導電面の帯電画像域を現像する。この現像ユニットには例えば摩擦電荷を有する黒色現像材料４４が入っており、黒色トナーは表面１２上の潜像の帯電領域に付着する。
【手続補正６】
【補正対象書類名】明細書
【補正対象項目名】００２２
【補正方法】変更
【補正の内容】
【００２２】
支持材料５８のシートが、ある手段（図示せず）により移動し、転写ステーションＤにおいてトナー画像に接触する。図示のように、転写ステーションＤはコロナ発生装置６０を含み、これが適当な極性のイオンをシート５８の裏面にスプレーする。これによりトナー粉末画像をドラム１６からシート５８に引き付ける。転写後、シートは移動し続け、定着ステーションＥまで矢印６２の方向に移動する。
【手続補正７】
【補正対象書類名】明細書
【補正対象項目名】００２３
【補正方法】変更
【補正の内容】
【００２３】
定着ステーションＥは一般的に参照番号６４で示される定着アセンブリを含み、これは転写された粉末画像をシート５８に恒久的に付着させる。好ましくは定着アセンブリ６４は加熱された定着ローラ６６と加圧ローラ６８を備える。シート５８は定着ローラ６６と加圧ローラ６８の間を通り、トナー粉末画像が定着ローラ６６に接触する。この様にして、トナー粉末画像はシート５８に恒久的に付着される。定着後、シュート（図示せず）が送られるシート５８を捕捉トレー（やはり図示せず）に案内し、オペレータにより印刷機から次々と取り除かれる。例えば綴じ、両面印刷のためのシートの裏返しと戻しといった他の定着後動作を含んでもよいということが理解されよう。
【手続補正８】
【補正対象書類名】明細書
【補正対象項目名】００２４
【補正方法】変更
【補正の内容】
【００２４】
支持材料のシートがドラム１６の光導電面から分離された後に、光導電面上の画像と非画像領域とにより運ばれた残留トナー粒子はクリーニングステーションＦにおいて除去される。クリーニングステーションＦはブレード７４を含む。
【手続補正９】
【補正対象書類名】明細書
【補正対象項目名】００３２
【補正方法】変更
【補正の内容】
【００３２】
さらに図示のように、凹み１１６，１１７はチューブ壁１０４の厚みより小さい深さを有する。図示のように消音器アセンブリ１００の第１の実施例において、ヒンジ凹部１１６は外面１１４から壁１０４の中まで形成され、第２の実施例の無雑音消音器アセンブリ１０１においてはヒンジ凹部１１７は内面１０８から壁１０４の中まで形成される。各実施例において、この部材または中空チューブ１０２には壁１０４を貫くスロット１０６が入っており、これは本発明によればチューブ１０２の縦軸１０３に対して第１の角度１１８をなして縦に伸びる。スロット１０６は真っ直ぐな縁を有するスロットとして示されるが、波型、鋸歯状、あるいは渦巻き模様を有するスロットのように、縁については他の適当などのような形状でも使用可能である。
【手続補正１０】
【補正対象書類名】明細書
【補正対象項目名】００３４
【補正方法】変更
【補正の内容】
【００３４】
このように第１の実施例の無雑音消音器アセンブリ１００において、本発明は、自励振動音を生じる部品どうしのアライメントの問題を低減するための、Ｃ字状断面部材１０２に第１の角度１１８で切られた切り込みスロット１０６と、外側に形成されたヒンジ凹部１１６とを組み入れる。あるいは第２の実施例の無雑音消音器アセンブリ１０１として、同様に自励振動音を生じる部品どうしのアライメントの問題を低減するための、Ｃ字状断面部材１０２に第１の角度１１８で切られた切り込みスロット１０６と、内側に形成されたヒンジ凹部１１７とを組み入れてもよい。